(57)【要約】【課題】簡単な構造で外装のデザインを変更させることができるとともに、形状や種類を変更して使用できるバッグを提供する。【解決手段】上部に手提げ２ａを備えた筒状の上部半体２と、袋状の下部半体３とで構成されるバッグ１であって、上部半体２の正面側下端部と下部半体３の正面側上端部とに第１オープンファスナー４を取り付け、上部半体２の背面側下端部と下部半体３の背面側上端部とに第２オープンファスナー５をそれぞれ取り付ける。上部半体２の正面側下端部に設けられた第１オープンファスナー４のエレメント４ａと、上部半体２の背面側下端部に設けられた第２オープンファスナー５のエレメント５ａとを噛合可能に、下部半体３の正面側上端部に設けられた第１オープンファスナー４のエレメント４ａと、下部半体３の背面側上端部に設けられた第２オープンファスナー５のエレメント５ａとを噛合可能に形成する。【選択図】図１
0003143829.tif 000002
【実用新案登録請求の範囲】
【請求項１】
上部に手提げを備えた筒状の上部半体と、袋状の下部半体とで構成されるバッグであって、前記上部半体の正面側下端部と、前記下部半体の正面側上端部とに第１オープンファスナーを取り付け、前記上部半体の背面側下端部と、前記下部半体の背面側上端部とに第２オープンファスナーをそれぞれ取り付け、前記第１オープンファスナーと第２オープンファスナーとを開閉することにより、前記上部半体と下部半体とを着脱可能に設けるとともに、前記上部半体の正面側下端部に設けられた前記第１オープンファスナーのエレメントと、前記上部半体の背面側下端部に設けられた前記第２オープンファスナーのエレメントとを噛合可能に形成し、前記上部半体の下端部を開閉可能とし、前記下部半体の正面側上端部に設けられた前記第１オープンファスナーのエレメントと、前記下部半体の背面側上端部に設けられた前記第２オープンファスナーのエレメントとを噛合可能に形成し、前記下部半体の上端部を開閉可能にしたことを特徴とするバッグ。
【請求項２】
外装が異なり、前記上部半体の下端部及び下部半体の上端部の形状と前記オープンファスナーの構造とが同一の複数組の前記上部半体と前記下部半体とを形成し、前記上部半体と前記下部半体の組み合わせを変更して連結することを特徴とする請求項１記載のバッグ。
【考案の詳細な説明】
【技術分野】
【０００１】
本発明は、デザイン性に優れ、且つ、形状や種類を変更して使用できるバッグに関する。
【背景技術】
【０００２】
従来、変形使用可能なバッグとして、長方形の袋の上端部に紐を挿通させる筒状部を形成し、袋の片面の縦方向に複数のポケットを設けるとともに、袋の両端部の縦方向にファスナーを設け、該ファスナーにより袋を二つ折りにして固定できるようにしたものがある（例えば、特許文献１参照。）。
【０００３】
また、手提げバッグ本体に、手提げを挿通する通し孔を備え、装飾を施したシート状部材を適宜被せることにより、手提げバッグ本体のデザインを自由に変更することのできる手提げバッグがある（例えば、特許文献２参照。）。
【特許文献１】特開平８−２１４９４２号公報
【特許文献２】特開２００６−４２８５８号公報
【考案の開示】
【考案が解決しようとする課題】
【０００４】
しかし、上述の特許文献１のものでは、筒状部に紐を通して手提げとすることから外観を変形させるのに手間が掛かり、また、バッグの外装のデザインを変更することはできなかった。
【０００５】
特許文献２のものでは、バッグの外装のデザインを変更させることはできるが、バッグの形状を変形させて使用することはできなかった。
【０００６】
そこで本考案は、簡単な構造で外装のデザインを変更させることができるとともに、形状や種類を変更して使用できるバッグを提供することを目的としている。
【課題を解決するための手段】
【０００７】
上記の目的を達成するため本考案は、上部に手提げを備えた筒状の上部半体と、袋状の下部半体とで構成されるバッグであって、前記上部半体の正面側下端部と、前記下部半体の正面側上端部とに第１オープンファスナーを取り付け、前記上部半体の背面側下端部と、前記下部半体の背面側上端部とに第２オープンファスナーをそれぞれ取り付け、前記第１オープンファスナーと第２オープンファスナーとを開閉することにより、前記上部半体と下部半体とを着脱可能に設けるとともに、前記上部半体の正面側下端部に設けられた前記第１オープンファスナーのエレメントと、前記上部半体の背面側下端部に設けられた前記第２オープンファスナーのエレメントとを噛合可能に形成し、前記上部半体の下端部を開閉可能とし、前記下部半体の正面側上端部に設けられた前記第１オープンファスナーのエレメントと、前記下部半体の背面側上端部に設けられた前記第２オープンファスナーのエレメントとを噛合可能に形成し、前記下部半体の上端部を開閉可能にしたことを特徴とし、外装が異なり、前記上部半体の下端部及び下部半体の上端部の形状と前記オープンファスナーの構造が同一の複数組の前記上部半体と前記下部半体とを形成し、前記上部半体と前記下部半体の組み合わせを変更して連結することもできる。
【考案の効果】
【０００８】
本考案は、上述のように形成されることから、前記上部半体正面側の下端部と、前記下部半体正面側の上端部とに設けた第１オープンファスナーと、前記上部半体背面側の下端部と、前記下部半体背面側の上端部とに設けた第２オープンファスナーをそれぞれ閉じれば、上部半体と下部半体とを連結させてトートバッグを構成することができる。
【０００９】
また、前記上部半体正面側の下端部に設けられた第１オープンファスナーのエレメントと、前記上部半体背面側の下端部に設けられた第２オープンファスナーのエレメントとを噛合させることにより、上部半体の下端部を閉塞でき、上部半体を用いてランチバッグを構成することができる。さらに、下部半体を用いてポーチを構成することができ、このポーチは、下部半体正面側の上端部に設けられた第１オープンファスナーのエレメントと、下部半体背面側の上端部に設けられた第２オープンファスナーのエレメントとを噛合させることにより、上部開口を閉じることができる。
【００１０】
また、複数組の外装の異なる上部半体と下部半体とを用いて、その組み合わせを替えることにより、トートバッグの外観を簡便に変更することができ、デザイン性の向上を図ることができる。
【考案を実施するための最良の形態】
【００１１】
以下、本考案の一形態例を図面に基づいて詳しく説明する。図１は本形態例のバッグをトートバッグに形成した状態の斜視図、図２は本形態例のバッグをランチバッグとポーチに形成した状態の斜視図、図３は２組のバッグの上部半体と下部半体の組み合わせを変更してトートバッグのデザインを変更する説明図である。
【００１２】
本形態例のバッグ１は、例えば帆布等の丈夫な布で形成されるもので、上部に手提げ２ａを備えた筒状の上部半体２と、袋状の下部半体３とで構成され、上部半体２には花柄模様が、下部半体３には絣模様がそれぞれ施されている。
【００１３】
上部半体２の正面側下端部と下部半体３の正面側上端部とには第１オープンファスナー４が、上部半体２の背面側下端部と下部半体３の背面側上端部とには第２オープンファスナー５がそれぞれ取り付けられている。第１オープンファスナー４と第２オープンファスナー５とは周知のオープンファスナーで、第１オープンファスナー４では噛み合う一対のエレメント４ａ，４ａが上部半体２の正面側下端部と下部半体３の正面側上端部とにそれぞれ取り付けられ、上部半体側のエレメント４ａにファスナーを開閉するスライダー４ｂが、下部半体側のエレメント４ａの端部にスライダー４ｂに挿入される蝶棒４ｃがそれぞれ設けられている。第２オープンファスナー５も同様に、噛み合う一対のエレメント５ａ，５ａが上部半体２の背面側下端部と下部半体３の背面側上端部とにそれぞれ取り付けられ、下部半体側のエレメント５ａにファスナーを開閉するスライダー５ｂが、上部半体側のエレメント５ａの端部にスライダー５ｂに挿入される蝶棒５ｃがそれぞれ設けられている。
【００１４】
さらに、上部半体２の正面側下端部に設けられた第１オープンファスナー４のスライダー４ｂを備えたエレメント４ａと、上部半体２の背面側下端部に設けられた第２オープンファスナー５の蝶棒５ｃを備えたエレメント５ａとが噛合可能に形成されるとともに、下部半体３の正面側上端部に設けられた第１オープンファスナー４の蝶棒４ｃを備えたエレメント４ａと、下部半体３の背面側上端部に設けられた第２オープンファスナー５のスライダー５ｂを備えたエレメント５ａとが噛合可能に形成されている。
【００１５】
このように形成されたバッグ１では、図１に示されるように、上部半体２の正面側下端部に設けた第１オープンファスナー４のスライダー４ｂに、下部半体３の正面側上端部に設けた第１オープンファスナー４の蝶棒４ｃを挿入し、スライダー４ｂを移動させて一対のエレメント４ａ，４ａを噛合させ、さらに、下部半体３の背面側上端部に設けた第２オープンファスナー５のスライダー５ｂに、上部半体２の背面側下端部に設けた蝶棒５ｃを挿入し、スライダー５ｂを移動させて一対のエレメント５ａ，５ａを噛合させることにより、上部半体２と下部半体３とが連結されて、トートバッグを形成することができる。
【００１６】
また、図２に示されるように、上部半体２の正面側下端部に設けた第１オープンファスナー４のスライダー４ｂに、上部半体２の背面側下端部に設けた第２オープンファスナー５の蝶棒５ｃを挿入しスライダー４ｂを移動させ、上部半体２の正面側下端部に設けたエレメント４ａと、上部半体２の背面側下端部に設けたエレメント５ａとを噛合させることにより底部を形成し、弁当や水筒等を入れるランチバッグを形成することができる。
【００１７】
さらに、袋状の下部半体３でポーチが形成され、下部半体３の背面側上端部に設けた第２オープンファスナー５のスライダー５ｂに、下部半体３の正面側上端部に設けた第１オープンファスナー４の蝶棒４ｃを挿入しスライダー５ｂを移動させ、下部半体３の正面側上端部に設けたエレメント４ａと、下部半体３の背面側上端部に設けたエレメント５ａとを噛合させて、上部開口を閉じることができる。
【００１８】
また、図３に示されるように、上述の形態例のバッグ１と、該バッグ１と同一形状で、上部半体６に星形模様が、下部半体７に縦縞模様がそれぞれ施されるとともに、オープンファスナーの構造が同一の他のバッグ８とを用いて、上部半体２，６と下部半体３，７の組み合わせを変更することにより、花柄模様の上部半体２と縦縞模様の下部半体７とを連結して構成されるバッグ９と、星形模様８の上部半体６と絣模様の下部半体３とを連結して構成されるバッグ１０とが得られる。
【００１９】
このように、上部半体２，６と下部半体３，７の組み合わせを変えることにより、２組のバッグ１，８から、外装の異なる４種類のトートバッグを構成でき、デザイン性の向上を図ることができる。また、上部半体２，６と下部半体３，７とはオープンファスナーで着脱できることから、デザインの変更を簡便に行うことができる。
【００２０】
なお、本考案は、上述の形態例のように布製のバッグに限るものではなく、合成樹脂製や皮製のものでもよく、上部半体と下部半体の素材が異なっていても良い。さらに、複数のバッグの上部半体と下部半体の組み合わせを変更してデザインの変化を楽しむ際には、複数のバッグの形状が完全に同一でなくても、オープンファスナーを備えた上部半体の下端部及び下部半体の上端部の構造及び形状が同一であれば良く、その他の部分の大きさや形状が異なるものであっても良い。また、第１オープンファスナーの下部半体側のエレメントにスライダーを、上部半体側のエレメントに蝶棒をそれぞれ設け、第２オープンファスナーの上部半体側のエレメントにスライダーを、下部半体側のエレメントに蝶棒を設けるものでも良い。
【図面の簡単な説明】
【００２１】
【図１】本考案の一形態例を示すバッグをトートバッグに形成した状態の斜視図である。
【図２】同じくバッグをランチバッグとポーチに形成した状態の斜視図である。
【図３】２組のバッグの上部半体と下部半体の組み合わせを変更してトートバッグのデザインを変更する説明図である。
【符号の説明】
【００２２】
１，８，９，１０…バッグ、２，６…上部半体、２ａ…手提げ、３，７…下部半体、４…第１オープンファスナー、４ａ…エレメント、４ｂ…スライダー、４ｃ…蝶棒、５…第２オープンファスナー、５ａ…エレメント、５ｂ…スライダー、５ｃ…蝶棒
【図１】
0003143829.tif 000003
【図２】
0003143829.tif 000004
【図３】
0003143829.tif 000005